(57)【要約】【課題】被貯蔵物からの水分の蒸散を抑制し、被貯蔵物の鮮度を長期間に亘り維持することのできる収納容器、及び当該収納容器を備えた調温貯蔵装置を提供する。【解決手段】収納容器１０は、被貯蔵物ＯＢが収納される収納空間ＳＰ１を周囲から区画する区画壁１２を備えており、周囲の調温空間ＳＰ２と収納空間ＳＰ１との間における水蒸気の移動が妨げられるように、収納空間ＳＰ１が区画壁１２によって密閉されている。【選択図】図２
2017142001.tif 000002
【特許請求の範囲】
【請求項１】
被貯蔵物（ＯＢ）の温度を適温に保つ調温貯蔵装置（１００）、の内部に設置される収納容器（１０，１０Ａ，１０Ｂ，１０Ｃ，１０Ｄ，１０Ｅ，１０Ｆ）であって、
前記被貯蔵物が収納される収納空間（ＳＰ１）を周囲から区画する区画壁（１２，１２Ａ，１２Ｂ，１２Ｃ，１２Ｄ，１２Ｅ，１２Ｆ）を備えており、
周囲の空間と前記収納空間との間における水蒸気の移動が妨げられるように、前記収納空間が前記区画壁によって密閉されている収納容器。
【請求項２】
前記区画壁は、樹脂、防水紙、金属、ガラス、のいずれかによって形成されている、請求項１に記載の収納容器。
【請求項３】
前記区画壁は、上方側の部分である天井部（１２１Ａ，１２１Ｂ，１２１Ｃ）と、前記天井部の端部から下方側に向かって伸びる側壁部（１２２Ａ，１２２Ｂ，１２２Ｃ）と、を有しており、
前記天井部のうち、少なくとも前記側壁部の近傍の部分は、前記収納空間側に付着した結露水が前記側壁部に向かって移動するように水平面に対して傾斜している、請求項２に記載の収納容器。
【請求項４】
前記区画壁は、上方側の部分である天井部（１２１Ｄ）と、前記天井部の端部から下方側に向かって伸びる側壁部（１２２Ｄ）と、を有しており、
前記天井部のうち少なくとも一部は、前記収納空間側に付着した結露水が特定箇所に向かって移動するように水平面に対して傾斜しており、
前記特定箇所には、移動して来た結露水を捕集する捕集機構（１２５Ｄ）が設けられている、請求項２に記載の収納容器。
【請求項５】
前記区画壁の少なくとも一部には、酸素が透過して前記収納空間から外部に出て行くことを許容しながら、二酸化炭素が透過して前記収納空間から外部に出て行くことを妨げる選択透過部（１３０Ｅ）が設けられている、請求項１に記載の収納容器。
【請求項６】
前記区画壁の一部には、前記収納空間の換気を行うための開閉窓（１４０Ｅ）が設けられている、請求項１に記載の収納容器。
【請求項７】
前記収納空間内の殺菌を行う殺菌機構（ＯＺ）が設けられている、請求項１に記載の収納容器。
【請求項８】
前記殺菌機構はオゾン発生装置である、請求項７に記載の収納容器。
【請求項９】
被貯蔵物の温度を適温に保つ調温貯蔵装置であって、
温度調節された空気を調温貯蔵装置の内部に吹き出して循環させる空調装置（２０）と、
請求項１乃至８のいずれか１項に記載の収納容器と、を備え、
前記空調装置から吹き出された空気が、前記収納空間に流入することなく、前記収納容器の外側を循環するように構成されている調温貯蔵装置。
【発明の詳細な説明】
【技術分野】
【０００１】
本発明は、収納容器及び調温貯蔵装置に関する。
【背景技術】
【０００２】
果物や野菜のような生鮮食品等（以下、「被貯蔵物」とも称する）を内部に収容し、その温度を適温に保つことのできる調温貯蔵装置が知られている。例えば下記特許文献１には、所謂強制通風方式の調温貯蔵装置が記載されている。このような調温貯蔵装置は、空調装置から吹き出される空調風を、被貯蔵物が収容されている空間内に吹き出すことにより、被貯蔵物の温度を適温に保つものである。
【０００３】
下記特許文献に１に記載の調温貯蔵装置は、吹き出される空調風の出口である吹出口と、温調装置に戻る空気の入口である吹込口との配置を工夫することにより、被貯蔵物の温度を短時間のうちに均一且つ適温とすることを可能としている。
【先行技術文献】
【特許文献】
【０００４】
【特許文献１】特開２０１５−１６１４８８号公報
【発明の概要】
【発明が解決しようとする課題】
【０００５】
上記特許文献１に記載されているような強制通風方式の調温貯蔵装置では、空調装置から吹き出される空調風が被貯蔵物に直接当たるので、被貯蔵物の表面における水分の蒸散が促進される傾向がある。このため、生鮮食品である被貯蔵物の鮮度が比較的短期間のうちに低下してしまう可能性がある。
【０００６】
また、空調装置の内部では空気の除湿が行われるので、被貯蔵物の周囲の湿度は低くなってしまう。その結果、被貯蔵物の表面における水分の蒸散は更に促進されてしまうこととなる。
【０００７】
本発明はこのような課題に鑑みてなされたものであり、その目的は、調温貯蔵装置の内部に設置される収納容器であって、被貯蔵物からの水分の蒸散を抑制し、被貯蔵物の鮮度を長期間に亘り維持することのできる収納容器、及び当該収納容器を備えた調温貯蔵装置を提供することにある。
【課題を解決するための手段】
【０００８】
上記課題を解決するために、本発明に係る収納容器は、被貯蔵物（ＯＢ）の温度を適温に保つ調温貯蔵装置（１００）、の内部に設置される収納容器（１０，１０Ａ，１０Ｂ，１０Ｃ，１０Ｄ，１０Ｅ，１０Ｆ）であって、被貯蔵物が収納される収納空間（ＳＰ１）を周囲から区画する区画壁（１２，１２Ａ，１２Ｂ，１２Ｃ，１２Ｄ，１２Ｅ，１２Ｆ）を備えており、周囲の空間と収納空間との間における水蒸気の移動が妨げられるように、収納空間が区画壁によって密閉されている。
【０００９】
このような収納容器の内部（収納空間）に被貯蔵物を収納し、その収納容器を調温貯蔵装置に設置すれば、調温貯蔵装置が備える空調装置から吹き出された空調風が、被貯蔵物に直接当たることが無い。また、収納空間は区画壁によって密閉されているので、収納容器の周囲にある低湿の空気が収納空間に侵入することも無い。このため、被貯蔵物の周囲の湿度が高い状態を維持することができる。その結果、被貯蔵物からの水分の蒸散を抑制し、被貯蔵物の鮮度を長期間に亘り維持することができる。
【発明の効果】
【００１０】
本発明によれば、調温貯蔵装置の内部に設置される収納容器であって、被貯蔵物からの水分の蒸散を抑制し、被貯蔵物の鮮度を長期間に亘り維持することのできる収納容器、及び当該収納容器を備えた調温貯蔵装置が提供される。
【図面の簡単な説明】
【００１１】
【図１】本発明の第１実施形態に係る収納容器の構成を示す斜視図である。
【図２】図１の収納容器が、調温貯蔵装置の内部に設置された状態を模式的に示す図である。
【図３】図１の収納容器の内部における、湿度の変化を示す図である。
【図４】図１の収納容器に収納された被貯蔵物の、重量の変化を示す図である。
【図５】図２の調温貯蔵装置の変形例を示す図である。
【図６】本発明の第２実施形態に係る収納容器の構成を示す斜視図である。
【図７】図６の収納容器の内部における、結露水の移動について説明するための図である。
【図８】本発明の第３実施形態に係る収納容器の構成を示す図である。
【図９】本発明の第４実施形態に係る収納容器の構成を示す図である。
【図１０】本発明の第５実施形態に係る収納容器の構成を示す図である。
【図１１】本発明の第６実施形態に係る収納容器の構成を示す図である。
【図１２】本発明の第７実施形態に係る収納容器の構成を示す図である。
【発明を実施するための形態】
【００１２】
以下、添付図面を参照しながら本発明の実施形態について説明する。説明の理解を容易にするため、各図面において同一の構成要素に対しては可能な限り同一の符号を付して、重複する説明は省略する。
【００１３】
本実施形態に係る収納容器１０は、例えば果物や野菜のような生鮮食品等をその内部に収納した状態で、後に説明する調温貯蔵装置１００の内部（調温空間ＳＰ２）に設置される容器である。図１を参照しながら、収納容器１０の構成について説明する。
【００１４】
収納容器１０は直方体状の容器であって、フレーム１１と区画壁１２とを備えている。フレーム１１は、複数本の棒状の金属を組み合わせて互いに接合することにより、全体を直方体状としたものである。フレーム１１は、直方体状である収納容器１０において、それぞれの辺を構成している。本実施形態におけるフレーム１１はステンレスにより形成されている。
【００１５】
区画壁１２は、収納容器１０の収納空間ＳＰ１を、収納容器１０の外側の空間から区画する壁である。区画壁１２はフレーム１１の全体を外側から覆っている。区画壁１２は、直方体状である収納容器１０において、それぞれの面を構成している。本実施形態における区画壁１２は、可撓性を有する袋状の樹脂シートによって形成されている。
【００１６】
区画壁１２の内側に形成された収納空間ＳＰ１は、調温貯蔵装置１００によって適温に保たれるべき生鮮成食品等（以下、「被貯蔵物ＯＢ」とも称する）が収納される空間である。収納空間ＳＰ１は、区画壁１２によって完全に密閉された空間となっている。このため、収納容器１０の周囲（外側）の空間と収納空間ＳＰ１との間における水蒸気の移動は、区画壁１２によって妨げられている。
【００１７】
樹脂シートによって形成されている区画壁１２は、その一部に不図示のファスナーが設けられている。当該ファスナーを開いて開口部を形成することにより、収納空間ＳＰ１への被貯蔵物ＯＢの出し入れを行うことが可能となっている。尚、このファスナーは防水ファスナーとなっている。このため、ファスナーが閉じられている状態においては、ファスナー部分を通じた水蒸気の出入りは十分に抑えられる。
【００１８】
調温貯蔵装置１００について、図２を参照しながら説明する。調温貯蔵装置１００は、被貯蔵物ＯＢの温度を適温に保つための装置である。調温貯蔵装置１００の内部には調温空間ＳＰ２が形成されている。調温空間ＳＰ２は、空調が行われる空間であり、且つ被貯蔵物ＯＢ（実際には、被貯蔵物ＯＢが収納された収納容器１０）が内部に収納される空間となっている。調温貯蔵装置１００は、空調装置２０と底板３０とを備えており、これらが全て調温空間ＳＰ２内に設置されている。
【００１９】
空調装置２０は、調温空間ＳＰ２内の空気を取り込んでその温度を調節した後、空調風として調温空間ＳＰ２内に吹き出す装置である。空調装置２０は、不図示のコンプレッサ、凝縮器、蒸発器、絞り弁、送風ファン、等を有しており、これら全体で一つの冷凍サイクルが構成されている。空調装置２０の動作中においては、送風ファンの回転数や絞り弁の開度等が制御され、これにより調温空間ＳＰ２内に吹き出される空調風の温度が調整される。空調装置２０の具体的な内部構成は公知のものであるから、具体的な図示や説明は省略する。
【００２０】
空調装置２０は、調温空間ＳＰ２を区画する壁面のうち、一側面に沿って配置されている。空調装置２０には、空調風の出口である吹出口２１と、調温空間ＳＰ２から取り込まれる空気の入口である吹込口２２とがそれぞれ形成されている。
【００２１】
吹出口２１は、空調装置２０の側面のうち下端部近傍に形成されている。空調風は、吹出口２１から水平方向に吹き出された後、調温空間ＳＰ２を区画する壁面のうち底面に沿って流れる。図２においては、調温空間ＳＰ２における空調風の流れが複数の矢印で示されている。
【００２２】
吹込口２２は、空調装置２０の上面に形成されている。吹出口２１から吹き出された空調風は、図２の矢印に示されるような経路で調温空間ＳＰ２内を循環した後、吹込口２２から調温空間ＳＰ２の内部に戻って再び温度調節される。
【００２３】
底板３０は、その上面に収納容器１０が設置される板状の部材であって、調温空間ＳＰ２の下方部分に配置されている。底板３０は、吹出口２１よりも高い位置に配置されている。このため、吹出口２１から吹き出された空調風は、底板３０の下方側に形成された空間に沿ってその多くが流れることとなる。尚、底板３０には、上下方向に空気を流通させるためのスリット状の流通孔が複数形成されている。このため、底板３０の下方側を流れる空調風は、その一部が上記流通孔を通過して、上方側に向かって流れる。このため、図２のように複数の収納容器１０が底板３０の上に設置されているときには、互いに隣り合う収納容器１０の間の隙間をも空調風が流れることとなる。
【００２４】
図２には、被貯蔵物ＯＢを内部に収納した収納容器１０が、底板３０の上に３つ並ぶように設置された状態の例が示されている。このような状態で空調装置２０による空調が行われると、空調風が収納容器１０の周囲を循環し、調温空間ＳＰ２内の気温が設定温度に維持される。このとき、空調装置２０の内部では空気が除湿されてしまうので、吹出口２１から吹き出される空気の湿度は比較的低くなっている。その結果、調温空間ＳＰ２内の湿度が低下している。
【００２５】
一方、収納空間ＳＰ１と調温空間ＳＰ２との間における水蒸気の移動は、区画壁１２によって防止されている。このため、調温空間ＳＰ２の湿度が上記のように低下しても、これにより収納空間ＳＰ１の湿度が低下してしまうことは無い。被貯蔵物ＯＢが野菜や果物である場合には、被貯蔵物ＯＢの表面から少しずつ蒸散する水分により、収納空間ＳＰ１の湿度は高い状態で維持される。
【００２６】
区画壁１２の温度は、調温空間ＳＰ２の気温と概ね等しくなる。このため、収納容器１０の内部に収納された被貯蔵物ＯＢには、区画壁１２からの熱が主に輻射伝熱によって伝わる。このため、被貯蔵物ＯＢの温度は、調温空間ＳＰ２内の気温と概ね同じ温度に維持される。
【００２７】
図２に示された状態における湿度変化の測定結果を、図３に示した。図３の線Ｌ１は、収納空間ＳＰ１における湿度の変化を示すグラフである。図３の線Ｌ２は、調温空間ＳＰ２における湿度の変化を示すグラフである。調温空間ＳＰ２の湿度は、線Ｌ２に示されるように概ね８０％程度で変動している。換言すれば、被貯蔵物ＯＢが収納容器１０に収納されていない場合には、被貯蔵物ＯＢは湿度８０％程度の空気に曝されることとなる。これに対し、収納空間ＳＰ１の湿度は、線Ｌ１に示されるようにほぼ１００％で安定している。
【００２８】
被貯蔵物ＯＢの鮮度の低下を示す指標の一つとして、重量減耗の度合いが挙げられる。重量減耗とは、水蒸気の蒸散に伴って被貯蔵物ＯＢの重量が次第に減少することをいう。図４には、被貯蔵物ＯＢの重量の変化の一例が示されている。
【００２９】
図４の線Ｌ１０は、収納容器１０の内側（収納空間ＳＰ１）に配置された被貯蔵物ＯＢの重量の変化を、元の重量に対する割合の変化として示したものである。図４の線Ｌ２０は、調温空間ＳＰ２であって、且つ収納容器１０の外側に配置された被貯蔵物ＯＢの重量の変化を、元の重量に対する割合の変化として示したものである。
【００３０】
線Ｌ２０に示されるように、収納容器１０の外側に配置された被貯蔵物ＯＢの重量は、６０日間で元の重量の９７．５％まで減少している。本発明者らが行った実験によれば、元の重量の９５％まで減少してしまうと、被貯蔵物ＯＢの鮮度、すなわち生鮮食品としての価値は著しく損なわれる。このため、図４の線Ｌ２０で示される例では、被貯蔵物ＯＢの鮮度は約１２０日間維持されることとなる。
【００３１】
これに対し、収納容器１０の内側に配置された被貯蔵物ＯＢの重量は、線Ｌ１０で示されるように、６０日間で元の重量の９８．７％までしか減少していない。このため、収納容器１０の内側においては、被貯蔵物ＯＢの鮮度は約２４０日間も維持されることとなる。このように、本実施形態に係る収納容器１０を用いれば、被貯蔵物ＯＢからの水分の蒸散を抑制し、被貯蔵物ＯＢの鮮度を長期間に亘り維持することができる。
【００３２】
本実施形態では、区画壁１２を樹脂シートによって形成しているのであるが、区画壁１２の材料としては、樹脂以外の材料を用いることもできる。例えば、防水性の紙を用いてもよい。防水性の紙とは、水蒸気の通過を防止する処理が施された紙のことである。
【００３３】
また、可撓性を有さない材料からなる板材を組み合わせて接合することで、収納空間ＳＰ１を密閉する区画壁１２を形成してもよい。このような材料としては、アルミニウムやステンレス等の金属、及びガラス等が挙げられる。区画壁１２の材料や厚さは、収納空間ＳＰ１と調温空間ＳＰ２との間における熱の伝達を考慮して適宜決定されることが望ましい。
【００３４】
以上においては、図１に示される収納容器１０が、被貯蔵物ＯＢを収納した状態で調温貯蔵装置１００の内部に搬入され、底板３０の上面に置かれる例について説明した。このような態様に替えて、例えば全体が金属によって形成された大型の収納容器１０が、調温貯蔵装置１００の一部として調温空間ＳＰ２内に固定された態様としてもよい。図５には、このように構成された調温貯蔵装置１００の例（図２の変形例である）が示されている。
【００３５】
図５に示される例では、調温空間ＳＰ２内に大型の収納容器１０が一つだけ配置され、これが底板３０に対して固定されている。調温貯蔵装置１００によって被貯蔵物ＯＢを保管する際には、被貯蔵物ＯＢは、図５のように据え付けられた収納容器１０の内部に直接搬入される。図５の例でも、空調装置２０から吹き出された空調風は、収納空間ＳＰ１に流入することなく、矢印で示されるように収納容器１０の外側を循環することとなる。
【００３６】
尚、調温貯蔵装置１００の一部として設けられる収納容器１０としては、様々な態様のものを用いることができる。例えば、図５に示される収納容器１０を、以下に説明する各実施形態に係る収納容器（１０Ａ，１０Ｂ，１０Ｃ，１０Ｄ，１０Ｅ，１０Ｆ）のいずれかと置き換えたような態様としてもよい。
【００３７】
本発明の第２実施形態に係る収納容器１０Ａについて、図６を参照しながら説明する。収納容器１０Ａは、特に天井部分の形状において第１実施形態と異なっている。
【００３８】
収納容器１０Ａの区画壁１２Ａは、複数のアルミニウム板を組み合わせ互いに接合することによって形成されている。区画壁１２Ａは、天井部１２１Ａと、一対の第１側壁部１２２Ａと、一対の第２側壁部１２３Ａと、底壁部１２４Ａ（図６では不図示。図７を参照）とから構成されている。
【００３９】
天井部１２１Ａは、略直方体状に形成された収納容器１０Ａの天井部分に該当する部分である。天井部１２１Ａは、平坦な板材を２枚組み合わせることによって形成されており、その中央部分が最も高くなっている。天井部１２１Ａは、中央部分から第１側壁部１２２Ａに向かって下るように、水平面に対して傾斜している。
【００４０】
第１側壁部１２２Ａは、天井部１２１Ａの端部（上記傾斜によって最も低くなっている縁の部分）から下方側に向かって伸びるように配置された部分である。図６では、一対の第１側壁部１２２Ａのうち右側の部分だけが示されている。
【００４１】
第２側壁部１２３Ａは、天井部１２１Ａの端部（一対の傾斜した縁の部分）から下方側に向かって伸びるように配置された部分である。第２側壁部１２３Ａは、第１側壁部１２２Ａに対して垂直となっている。図６では、一対の第２側壁部１２３Ａのうち手前側の部分だけが示されている。
【００４２】
底壁部１２４Ａは、一対の第１側壁部１２２Ａ及び一対の第２側壁部１２３Ａで囲まれた空間を、下方側から塞ぐように設けられた部分である。本実施形態では、天井部１２１Ａ、一対の第１側壁部１２２Ａ、一対の第２側壁部１２３Ａ、及び底壁部１２４Ａにより、その内部の空間である収納空間ＳＰ１が密閉されている。
【００４３】
天井部１２１Ａを上記のように傾斜させたことの効果について、図７を参照しながら説明する。
【００４４】
図３等を参照しながら説明したように、収納空間ＳＰ１の湿度はほぼ１００％であるから、区画壁１２Ａの内面では結露による水滴の付着が生じやすい状態となっている。もし、天井部１２１Ａに付着した水滴がそのまま下方に落下し、被貯蔵物ＯＢに直接当たってしまうと、被貯蔵物ＯＢの当該箇所にカビが発生したり、被貯蔵物ＯＢの当該箇所で変色が生じたりする可能性がある。被貯蔵物ＯＢの鮮度や外観を良好に保つためには、被貯蔵物ＯＢへの水滴の付着は極力防止する必要がある。
【００４５】
本実施形態では、天井部１２１Ａが水平面に対して傾斜している。このため、天井部１２１Ａの下面側で生じた水滴ＷＴは、当該下面側に付着した状態を維持しながら、天井部１２１Ａに沿って第１側壁部１２２Ａに向かって移動する。その後、水滴は第１側壁部１２２Ａの上端に到達し、第１側壁部１２２Ａの内面に沿って下方側へと移動する。図７では、このように水滴ＷＴが移動する経路が矢印で示されている。
【００４６】
天井部１２１Ａの水滴ＷＴが、一旦第１側壁部１２２Ａ側に移動した後に下方に向かって移動するので、水滴ＷＴが被貯蔵物ＯＢに直接当たってしまうことが防止されている。これにより、上記のようなカビの発生等が防止される。
【００４７】
尚、水滴ＷＴを上記のように移動させるための天井部１２１Ａの形状としては、図７に示されるようなもののほか、様々な形状を採用し得る。
【００４８】
図８に示されるのは、本発明の第３実施形態に係る収納容器１０Ｂの構成及びその内部の様子である。本実施形態では、天井部１２１Ｂが一枚の板材から構成されており、当該板材が水平面に対して傾斜した状態となっている。この場合、天井部１２１Ｂで生じた水滴は、全て右側の第１側壁部１２２Ｂに向かって移動することとなる。このように、天井部１２１Ｂを図７のような両側傾斜とするのではなく、片側傾斜とすることによっても、水滴ＷＴが落下して被貯蔵物ＯＢに直接当たってしまうことを防止することができる。
【００４９】
図９に示されるのは、本発明の第４実施形態に係る収納容器１０Ｃの構成及びその内部の様子である。本実施形態では、天井部１２１Ｃが、中央が最も高い円弧状となるように形成されている。その結果として、天井部１２１Ｃのうち少なくとも第１側壁部１２２Ｃの近傍部分が、水平面に対して傾斜した状態となっている。この場合、天井部１２１Ｃで生じた水滴は、左右いずれかの第１側壁部１２２Ｃに向かって移動することとなる。このように、天井部１２１Ｃの全体ではなく一部を傾斜させることによっても、水滴ＷＴが落下して被貯蔵物ＯＢに直接当たってしまうことを防止することができる。
【００５０】
図１０に示されるのは、本発明の第５実施形態に係る収納容器１０Ｄの構成及びその内部の様子である。本実施形態では、天井部１２１Ｄが２枚の傾斜した板材で形成されている点は第２実施形態（図７）と同じなのであるが、天井部１２１Ｄの中央部分が最も低くなっている点において第２実施形態と異なっている。このような態様においては、天井部１２１Ｄの下面側で生じた水滴ＷＴは、当該下面側に付着した状態を維持しながら、天井部１２１Ｄに沿って下端部Ｐに向かって移動する。下端部Ｐは、水平面に対して傾斜している天井部１２１Ｄの下端となる部分であって、天井部１２１Ｄを構成する２枚の板材が互いに繋がっている部分である。
【００５１】
天井部１２１Ｄの下面のうち、下端部Ｐ及びその近傍となる部分には、捕集機構１２５Ｄが設けられている。捕集機構１２５Ｄは、吸水性のポリマーによって形成された帯状の部材であって、図１０において紙面奥行方向に沿って伸びるよう、下端部Ｐの全体を覆うように設けられている。
【００５２】
天井部１２１Ｄに沿って下端部Ｐへ移動してきた水滴ＷＴは、下端部Ｐに到達する直前に捕集機構１２５Ｄに当たり、捕集機構１２５Ｄの内部に浸透し捕集される。このため、下方側に水滴ＷＴが落下してしまうことが防止される。
【００５３】
本発明の第６実施形態に係る収納容器１０Ｅの構成について、図１１を参照しながら説明する。本実施形態では、区画壁１２Ｅ（第２側壁部１２３Ｅ）の一部に選択透過部１３０Ｅが形成されている点、及び、区画壁１２Ｅ（第１側壁部１２２Ｅ）の一部に開閉窓１４０Ｅが設けられている点において、他の実施形態と異なっている。
【００５４】
選択透過部１３０Ｅは、第２側壁部１２３Ｅの一部に矩形の開口を形成し、当該開口を樹脂フィルムで覆い密閉した構成となっている。この樹脂フィルムは、酸素が透過して収納空間ＳＰ１から外部に出て行くことを許容しながら、二酸化炭素が透過して収納空間ＳＰ１から外部に出て行くことを妨げる性質（選択透過性）を有するフィルムとして構成されている。このような樹脂フィルムとしては、例えば、住友ベークライト株式会社が提供するＰ−プラス（登録商標）を用いることができる。
【００５５】
このような選択透過部１３０Ｅが設けられたことにより、収納空間ＳＰ１における二酸化炭素の濃度は比較的高い状態に保たれる。これにより、被貯蔵物ＯＢ（野菜や果物）の呼吸量を低下させ、被貯蔵物ＯＢの鮮度を更に長期間保つことが可能となる。
【００５６】
開閉窓１４０Ｅは、第１側壁部１２２Ｅの一部に矩形の開口を形成し、当該開口を複数の遮蔽板１４１Ｅで覆い密閉した部分となっている。それぞれの遮蔽板１４１Ｅは、その長手方向に沿った中心軸周りに回転することで、収納空間ＳＰ１と外部の空間とを連通されることが可能となっている。
【００５７】
例えば、収納空間ＳＰ１における二酸化炭素の濃度が高くなり過ぎたり、エチレンの濃度が高くなり過ぎたりしたときには、一時的に開閉窓１４０Ｅを上記のように開放して、二酸化炭素等を収納容器１０Ｅの外に排出すればよい。これにより、被貯蔵物ＯＢの鮮度を更に長期間保つことが可能となる。
【００５８】
本発明の第７実施形態に係る収納容器１０Ｆの構成について、図１２を参照しながら説明する。本実施形態では、区画壁１２Ｆ（天井部１２１Ｆ）の内面部分にオゾン発生装置ＯＺが取り付けられている点において、他の実施形態と異なっている。オゾン発生装置ＯＺは、オゾンを発生させ収納空間ＳＰ１内に放出することにより、収納空間ＳＰ１内の殺菌を行うための装置である。このようなオゾン発生装置ＯＺの機能により、収納空間ＳＰ１内における雑菌の繁殖が抑制されるので、被貯蔵物ＯＢの鮮度を更に長期間保つことができる。尚、収納空間ＳＰ１内の殺菌を行うための装置としては、オゾン発生装置ＯＺとは異なる装置が用いられてもよい。
【００５９】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６０】
１０，１０Ａ，１０Ｂ，１０Ｃ，１０Ｄ，１０Ｅ，１０Ｆ：収納容器
１２，１２Ａ，１２Ｂ，１２Ｃ，１２Ｄ，１２Ｅ，１２Ｆ：区画壁
２０：空調装置
１００：調温貯蔵装置
１２１Ａ，１２１Ｂ，１２１Ｃ，１２１Ｄ，１２１Ｅ，１２１Ｆ：天井部
１２５Ｄ：捕集機構
１３０Ｅ：選択透過部
１４０Ｅ：開閉窓
ＯＢ：被貯蔵物
ＯＺ：オゾン発生装置
ＳＰ１：収納空間
【図１】
2017142001.tif 000003
【図２】
2017142001.tif 000004
【図３】
2017142001.tif 000005
【図４】
2017142001.tif 000006
【図５】
2017142001.tif 000007
【図６】
2017142001.tif 000008
【図７】
2017142001.tif 000009
【図８】
2017142001.tif 000010
【図９】
2017142001.tif 000011
【図１０】
2017142001.tif 000012
【図１１】
2017142001.tif 000013
【図１２】
2017142001.tif 000014